(57)【要約】【課題】ネットワークおよび移動局に負荷をかけることなく移動局へのサービス中断を有効に回避できる移動局の移動管理方法および装置ならびにそれを用いた移動通信システムを提供する。【解決手段】主セルを変更するとき、移動局２０は新たな主セルから隣接リストを受け取り近隣リストＮＬ−ＮＷに格納する。セル選択を実行するとき（ＳＴ２）、移動局２０は新たな主セルＣ３を前の主セルＣ２と関連付け（Ｃ３：｛Ｃ２｝）近隣リストＮＬ−Ａに格納する（ＳＴ３）。現在の主セルの品質劣化を検出するとき、移動局２０は隣接リストＮＬ−ＮＷにおけるセルおよび近隣リストＮＬ−Ａにおける全ての関連セルの品質を測定する。現在の主セルよりも良好なセルを検出すると、移動局２０はその検出されたより良好なセルを新たな主セルとして再選択する。【選択図】図１
2008118404.tif 000002
【特許請求の範囲】
【請求項１】
移動通信システムにおける移動局の移動管理方法において、
接続した第１のセルの近隣セルの情報を示す近隣リストを受信して蓄積し、
近隣セル情報として含まれていない第２のセルに接続した場合、少なくとも前記第２のセルと前記第１のセルとの関連付けを示す関連付け近隣リストを蓄積し、
前記近隣リストおよび／または前記関連付け近隣リストの近隣セル情報を使用してセルを探索する、
ことを特徴とする移動局の移動管理方法。
【請求項２】
前記近隣セル情報は少なくとも近隣セルのキャリア周波数の情報を含み、セルを探索する場合には前記キャリア周波数を使用することを特徴とする請求項１に記載の移動管理方法。
【請求項３】
前記第２のセルと前記第１のセルとの関連付けの実行条件を示す関連付け基準を設け、前記関連付け基準を満たすときに前記関連付け近隣リストを更新することを特徴とする請求項１または２に記載の移動局の移動管理方法。
【請求項４】
前記関連付け基準は、前記移動通信システムの管理手段によって与えられたセル毎の関連付け実行条件であることを特徴とする請求項３に記載の移動局の移動管理方法。
【請求項５】
前記関連付け基準は、前記移動局が前記第２のセルへの接続に要した時間長に基づいて定めた関連付け実行条件であることを特徴とする請求項３に記載の移動局の移動管理方法。
【請求項６】
前記第２のセルに接続した場合、前記第２のセルおよびその近隣セルと前記第１のセルとを関連付けることを特徴とする請求項１に記載の移動局の移動管理方法。
【請求項７】
前記移動通信システムの管理手段は、前記移動局の前記関連付け近隣リストの使用／不使用を制御することを特徴とする請求項１−６のいずれか１項に記載の移動局の移動管理方法。
【請求項８】
前記近隣リストには、前記第２のセルだけでなくそれ以前のセルの近隣セル情報も蓄積することを特徴とする請求項１に記載の移動局の移動管理方法。
【請求項９】
前記近隣リストと前記関連付け近隣リストとの間に使用優先順位が予め設定されていることを特徴とする請求項１−８のいずれか１項に記載の移動局の移動管理方法。
【請求項１０】
前記関連付け近隣リストに含まれる関連セルを前記移動通信システムのハンドオーバ制御手段に報告し、前記関連セルを含む候補セルからハンドオーバのターゲットセルが決定されることを特徴とする請求項１に記載の移動局の移動管理方法。
【請求項１１】
移動局、複数のセルおよびこれらセルをそれぞれ制御する複数の基地局を有する移動通信ネットワークにおける移動局の移動管理方法において、
第１セルに接続すると、移動局は当該第１セルからその近隣リストを受け取り、
近隣セル情報として含まれない第２セルに接続すると、移動局は当該第２セルを前記第１セルと関連付け、
前記第２セルの品質劣化を検出すると、移動局は前記近隣リストに含まれるセルおよび／または前記関連付けられたセルの品質測定を開始し、
前記第２セルよりも良好な第３セルを検出すると移動局は当該第３セルを選択する、
ことを特徴とする移動管理方法。
【請求項１２】
前記近隣セル情報は少なくとも近隣セルのキャリア周波数の情報を含み、セルを探索する場合には前記キャリア周波数を使用することを特徴とする請求項１１に記載の移動管理方法。
【請求項１３】
前記第２セルと前記第１セルとの関連付けの実行条件を示す関連付け基準を設け、前記関連付け基準を満たすときに前記第２セルと前記第１セルとを関連付けることを特徴とする請求項１１または１２に記載の移動局の移動管理方法。
【請求項１４】
前記関連付け基準は、前記移動通信システムの管理手段によって与えられた各セルに関する関連づけ許可あるいは禁止を示し、前記第２セルが関連付け禁止セルである場合、前記移動局は当該第２セルと前記第１セルとの関連付けを行わないことを特徴とする請求項１３に記載の移動管理方法。
【請求項１５】
前記第２セルへの接続に要した時間長が所定しきい値を越えた場合には、前記移動局は前記第２セルと前記第１セルとの関連付けを行わないことを特徴とする請求項１３に記載の移動管理方法。
【請求項１６】
前記第２セルへ接続した場合、前記第２セルおよびその近隣セルと前記第１セルとを関連付けることを特徴とする請求項１１−１５のいずれか１項に記載の移動管理方法。
【請求項１７】
前記移動通信システムの管理手段は、前記移動局の前記関連付けられたセルの品質測定を実行するか否かを制御することを特徴とする請求項１１−１６のいずれか１項に記載の移動管理方法。
【請求項１８】
前記近隣リストには、前記第２セルだけでなくそれ以前のセルの近隣セル情報も蓄積することを特徴とする請求項１１に記載の移動管理方法。
【請求項１９】
前記近隣リストに含まれるセルと前記関連付けられたセルとの間に使用優先順位が予め設定されていることを特徴とする請求項１１−１８のいずれか１項に記載の移動管理方法。
【請求項２０】
前記関連付けられたセルを前記移動通信システムのハンドオーバ制御手段に報告し、前記関連付けられたセルを含む候補セルからハンドオーバのターゲットセルが決定されることを特徴とする請求項１１に記載の移動管理方法。
【請求項２１】
移動通信システムにおける移動局において、
接続した第１セルの近隣セルの情報を示す近隣リストを蓄積する第１メモリと、
近隣セル情報として含まれない第２セルに接続した場合、少なくとも前記第２セルと前記第１セルとを関連付ける制御手段と、
少なくとも前記第２セルと前記第１セルとの関連づけを示す関連付け近隣リストを蓄積する第２メモリと、
前記近隣リストおよび／または前記関連付け近隣リストの近隣セル情報を使用してセルを探索するセル探索手段と、
を有することを特徴とする移動局。
【請求項２２】
前記近隣セル情報は少なくとも近隣セルのキャリア周波数の情報を含み、セルを探索する場合には前記キャリア周波数を使用することを特徴とする請求項２１に記載の移動局。
【請求項２３】
前記制御手段は、前記第２セルが関連付け禁止セルである場合、当該セルと前記第１セルとの関連付けを行わないことを特徴とする請求項２１または２２に記載の移動局。
【請求項２４】
前記制御手段は、前記第２セルへの接続に要した時間長が所定しきい値を越えた場合には、前記第２セルと前記第１セルとの関連付けを行わないことを特徴とする請求項２１に記載の移動局。
【請求項２５】
前記制御手段は、前記第２セルに接続した場合、前記第２セルおよびその近隣セルと前記第１セルとを関連付けることを特徴とする請求項２１に記載の移動局。
【請求項２６】
前記セル探索手段による前記関連付け近隣リストの使用／不使用は、前記移動通信システムの管理手段により制御されることを特徴とする請求項２１−２５のいずれか１項に記載の移動局。
【請求項２７】
前記第１メモリの近隣リストには、前記第２セルだけでなくそれ以前のセルの近隣セル情報も蓄積することを特徴とする請求項２１に記載の移動局。
【請求項２８】
前記セル探索手段は、前記近隣リストと前記関連付け近隣リストとの間に使用優先順位を予め設定していることを特徴とする請求項２１−２７のいずれか１項に記載の移動局。
【請求項２９】
前記制御手段は、前記関連付け近隣リストに含まれる関連セルを前記移動通信システムのハンドオーバ制御手段に報告し、前記関連セルを含む候補セルからハンドオーバのターゲットセルが決定されることを特徴とする請求項２１に記載の移動局。
【請求項３０】
前記セル探索手段は、前記第２セルの品質劣化を検出すると、前記近隣リストに含まれるセルおよび／または前記関連付け近隣リストに含まれるセルの品質を測定し、前記第２セルよりも良好な第３セルを検出すると当該第３セルを選択することを特徴とする請求項２１に記載の移動局。
【請求項３１】
移動局と、複数のセルと、それらセルをそれぞれ制御する複数の基地局と、複数の基地局を制御する制御局とを有する移動通信システムにおいて、
各基地局は、
前記制御局により構成され、当該基地局が制御するセルの近隣セル情報を示す近隣リストを格納する近隣リストメモリと、
自己のセル内に位置する移動局に前記近隣リストを送信する送信手段と、
を有し、
前記移動局は、
接続した第１セルの近隣セルの情報を示す近隣リストを蓄積する第１メモリと、
近隣セル情報として含まれない第２セルに接続した場合、少なくとも前記第２セルと前記第１セルとを関連付ける制御手段と、
少なくとも前記第２セルと前記第１セルとの関連づけを示す関連付け近隣リストを蓄積する第２メモリと、
前記近隣リストおよび／または前記関連付け近隣リストの近隣セル情報を使用してセルを探索するセル探索手段と、
を有することを特徴とする移動通信システム。
【請求項３２】
前記制御局は各セルに関する関連づけ許可あるいは禁止を予め定め、それぞれ対応する基地局へ送信し、各基地局は前記近隣セル情報とともに前記関連付け許可あるいは禁止を示す信号を前記移動局へ送信することを特徴とする請求項３１に記載の移動通信システム。
【請求項３３】
前記制御局は前記移動局の前記関連付け近隣リストの使用／不使用を制御することを特徴とする請求項３１または３２に記載の移動通信システム。
【請求項３４】
前記移動局は、前記関連付け近隣リストに含まれる関連セルをハンドオーバ制御局に報告し、前記ハンドオーバ制御局は、前記関連セルを含む候補セルからハンドオーバのターゲットセルを決定することを特徴とする請求項３１に記載の移動通信システム。
【請求項３５】
前記ハンドオーバ制御局は、前記移動局が接続している基地局であることを特徴とする請求項３４に記載の移動通信システム。
【請求項３６】
移動通信システムにおける移動局の移動管理をコンピュータに実行させるプログラムにおいて、
接続した第１のセルの近隣セルの情報を示す近隣リストを受信して蓄積するステップと、
近隣セル情報として含まれていない第２のセルに接続した場合、少なくとも前記第２のセルと前記第１のセルとの関連付けを示す関連付け近隣リストを蓄積するステップと、
前記近隣リストおよび／または前記関連付け近隣リストの近隣セル情報を使用してセルを探索するステップと、
を有することを特徴とするプログラム。
【請求項３７】
移動通信システムにおける移動局の移動管理装置において、
接続した第１セルの近隣セルの情報を示す近隣リストを蓄積する第１メモリと、
近隣セル情報として含まれない第２セルに接続した場合、少なくとも前記第２セルと前記第１セルとを関連付ける制御手段と、
少なくとも前記第２セルと前記第１セルとの関連づけを示す関連付け近隣リストを蓄積する第２メモリと、
前記近隣リストおよび／または前記関連付け近隣リストの近隣セル情報を使用してセルを探索するセル探索手段と、
を有することを特徴とする移動局の移動管理装置。
【請求項３８】
移動通信システムにおける移動局の移動管理方法において、
接続した第１セルの近隣セル情報を示す近隣リストを受信して蓄積し、
セルのキャリア周波数情報に依存しない第１探索動作によって少なくとも１つの接続可能な近隣セルを検出し、
前記接続可能な近隣セルのうち前記近隣リストに含まれていないセルと前記第１セルとの関連付けを示す関連付け近隣リストを蓄積し、
前記近隣リストおよび／または前記関連付け近隣リストを用いて、セルのキャリア周波数情報に依存する第２探索動作により接続すべきセルを検出する、
ことを特徴とする移動局の移動管理方法。
【請求項３９】
移動通信システムにおける移動局の移動管理装置において、
接続した第１セルの近隣セルの情報を示す近隣リストを蓄積する第１メモリと、
セルのキャリア周波数情報に依存しない第１探索動作によって少なくとも１つの接続可能な近隣セルを検出するセル探索手段と、
前記接続可能な近隣セルのうち前記近隣リストに含まれていないセルと前記第１セルとの関連付ける制御手段と、
前記接続可能な近隣セルのうち前記近隣リストに含まれていないセルと前記第１セルとの関連付けを示す関連付け近隣リストを蓄積する第２メモリと、
を有し、
前記セル探索手段は、さらに、前記近隣リストおよび／または前記関連付け近隣リストを用いてセルのキャリア周波数情報に依存する第２探索動作により接続すべきセルを検出することを特徴とする移動局の移動管理装置。
【請求項４０】
移動通信システムにおける移動局において、
接続した第１セルの近隣セルの情報を示す近隣リストを蓄積する第１メモリと、
セルのキャリア周波数情報に依存しない第１探索動作によって少なくとも１つの接続可能な近隣セルを検出するセル探索手段と、
前記接続可能な近隣セルのうち前記近隣リストに含まれていないセルと前記第１セルとの関連付ける制御手段と、
前記接続可能な近隣セルのうち前記近隣リストに含まれていないセルと前記第１セルとの関連付けを示す関連付け近隣リストを蓄積する第２メモリと、
を有し、
前記セル探索手段は、さらに、前記近隣リストおよび／または前記関連付け近隣リストを用いてセルのキャリア周波数情報に依存する第２探索動作により接続すべきセルを検出することを特徴とする移動局。
【請求項４１】
移動局と、複数のセルと、それらセルをそれぞれ制御する複数の基地局と、複数の基地局を制御する制御局とを有する移動通信システムにおいて、
各基地局は、
前記制御局により構成され、当該基地局が制御するセルの近隣セル情報を示す近隣リストを格納する近隣リストメモリと、
自己のセル内に位置する移動局に前記近隣リストを送信する送信手段と、
を有し、
前記移動局は、
接続した第１セルの近隣セルの情報を示す近隣リストを蓄積する第１メモリと、
セルのキャリア周波数情報に依存しない第１探索動作によって少なくとも１つの接続可能な近隣セルを検出するセル探索手段と、
前記接続可能な近隣セルのうち前記近隣リストに含まれていないセルと前記第１セルとの関連付ける制御手段と、
前記接続可能な近隣セルのうち前記近隣リストに含まれていないセルと前記第１セルとの関連付けを示す関連付け近隣リストを蓄積する第２メモリと、
を有し、前記セル探索手段は、さらに、前記近隣リストおよび／または前記関連付け近隣リストを用いてセルのキャリア周波数情報に依存する第２探索動作により接続すべきセルを検出する、ことを特徴とする移動通信システム。
【請求項４２】
移動通信システムにおける移動局の移動管理をコンピュータに実行させるプログラムにおいて、
接続した第１セルの近隣セル情報を示す近隣リストを受信して蓄積するステップと、
セルのキャリア周波数情報に依存しない第１探索動作によって少なくとも１つの接続可能な近隣セルを検出するステップと、
前記接続可能な近隣セルのうち前記近隣リストに含まれていないセルと前記第１セルとの関連付けを示す関連付け近隣リストを蓄積するステップと、
前記近隣リストおよび／または前記関連付け近隣リストを用いて、セルのキャリア周波数情報に依存する第２探索動作により接続すべきセルを検出するステップと、
を有することを特徴とするプログラム。
【発明の詳細な説明】
【技術分野】
【０００１】
本発明は複数の基地局により制御される複数のセルを設けた移動通信システムに係り、特に移動局が接続すべきセルを選択するための移動管理方法および装置に関する。
【背景技術】
【０００２】
一般に、複数の基地局により制御される複数のセルを有するセルラ移動通信システムにおいて、移動局は、基地局との間でデータあるいは制御信号を送受信し正常なサービスを受けるために適したセル（以下、「適切セル(suitable cell)」という。）を検出し、そのセルにキャンプ接続することができる。また、適切なセルを選択してキャンプ接続できない場合には、制限されたサービスを受けることが可能なセル（以下、「許容セル(acceptable cell)」という。）を選択し、キャンプ接続することもできる。キャンプ接続とは、アイドル状態の移動局が、後述するセル選択／セル再選択によって検出されたセルに接続することをいう。
【０００３】
たとえば、ＵＭＴＳ(Universal Mobile Telecommunications System)システムでは、セルにキャンプ接続した移動局は、そのセルを制御する基地局（主基地局）のブロードキャストチャネル（ＢＣＣＨ）から当該セルＩＤ、トラッキングエリアＩＤおよび後述する近隣リスト(neighboring list)を受信し、またページングチャネル（ＰＣＨ）をモニタすると共に、間欠的に近隣セルのパイロットチャネル（ＣＰＩＣＨ）をモニタする。近隣リストに含まれる近隣セル情報は、典型的には、近隣セルのキャリア周波数およびその他システムパラメータを含む。したがって移動局は近隣リストを参照することで、近隣セルのキャリア周波数に合わせながらキャンプ接続すべきセルを探索し、下りブロードキャストチャネルを受信することが可能となる。
【０００４】
また、移動局は、近隣リストに基づいて現在キャンプ接続しているセル（以下、主セル(serving cell)という。）よりも良好なセル（通常、無線品質がより良好なセル）を検出すると、この新たに検出されたセルを主セルとしてキャンプ接続する。これを「再選択（cell reselection）」という。セル再選択はネットワークにより提供される何らかの基準に基づいて、移動局により実行される。たとえば、移動局が主セルの無線品質の劣化を検出し、その劣化状態が再選択タイマ(reselection timer)で設定された時間以上続いた場合、近隣リストの近隣セル情報を用いてセル再選択を実行する。通常、セル再選択は、近隣リストに蓄積されている近隣セル情報のキャリア周波数を順次設定しながら現在の主セルの無線品質よりも良好な無線品質を持つ近隣セルが検出されるかどうかを調べ、そのような良好な無線品質のセルが検出された場合、そのより良好な無線品質のセルを新たな主セルとして選択してキャンプ接続を行う、という手順により実行される。このように、移動局は近隣リストに蓄積されている近隣セルに絞って無線品質を検出すれば良いため、より良好な無線品質のセルを高速で選択することができる。これにより、ネットワークからのページングメッセージを良好な受信確率で受信することも可能となる。また、近隣リストは、ハンドオーバ時の近隣セルの無線品質測定にも利用される。
【０００５】
もし移動局がネットワークにより提供された近隣リストから適切セルを検出できなかった場合、移動局は、キャンプ接続する適切セルを発見するために、可能なキャリア周波数の各々を逐次探索するキャリア逐次探索を開始する。このキャリア逐次探索による適切セルの検出は、ＵＭＴＳシステムにおいて「セル選択 (cell selection)」と呼ばれる。セル選択には、事前にキャリア周波数情報がない状態で全ての周波数帯域を逐次探索して適切セルを検出する初期セル選択(initial cell selection)と、予めキャリア周波数の情報が移動局に格納され、その情報により限定された周波数帯域におけるキャリア逐次探索により適切セルを検出する限定的セル選択(stored-information cell selection)とがある。初期セル選択は無線周波数帯域全てを探索するために、たとえば２０秒程度の時間を要する。これに対して限定的セル選択は、限定された周波数帯域内でのキャリア逐次探索なので適切セルの検出を高速化できる。たとえば外国に行って移動端末の電源を入れた時のように、格納されたキャリア周波数情報が示す周波数帯域とは異なる帯域を使用するオペレータで使用する場合には初期セル選択によるキャリア逐次探索が実行される。
【０００６】
いずれにしても、セル選択は移動局がキャリア周波数の逐次探索を行うので、一般にセル再選択よりも長い時間を要し、その間サービスが中断する。また逐次探索は大きな電力を消費するので、通常バッテリ駆動される移動端末にとってはバッテリの消耗がはやくなる。
【０００７】
ＵＭＴＳシステムにおけるセル選択およびセル再選択の手順については、非特許文献１〜３に記載されている。
【０００８】
また、セル再選択に用いられる近隣リストは、移動局がキャンプ接続した基地局から当該移動局に対して送信されるが、たとえばビルディング内にマイクロセルあるいはピコセルと呼ばれる小さなセルが局所的に多数配置される場合には、近隣リストが全てのセルを網羅していないことがあり得る。
【０００９】
特表２００１−５２６０１６号公報には、このように近隣リスト内に含まれていないセルが存在する状況で移動局を適切セルに接続させる方法が開示されている。具体的には、近隣エリア内で使用される全ての測定チャネルを含む１つの近隣リストを当該近隣エリアの各基地局が共通に送信する。これにより、近隣エリア内の移動局は全ての測定チャネルを用いたセル再選択が可能になる（第７ページ１８行〜第８ページ１８行）。
【００１０】
【特許文献１】特表２００１−５２６０１６号公報
【非特許文献１】３ＧＰＰ  ＴＳ  ２５．３０４  User Equipment (mobile station) procedures in idle mode and procedures for cell reselection in connected mode
【非特許文献２】３ＧＰＰ  ＴＳ  ２５．３３１ Radio Resource Control (RRC); Protocol Specification (Release 6)
【非特許文献３】３ＧＰＰ  ＴＳ  ２５．１３３ Requirements for support of radio resource management (FDD)
【非特許文献４】３ＧＰＰ  ＴＳ  ２５．８１３ Evolved Universal Terrestrial Radio Access (E-UTRA) and Evolved Universal Terrestrial Radio Access Network (E-UTRAN); Radio interface protocol aspects (Release 7)
【発明の開示】
【発明が解決しようとする課題】
【００１１】
まず、ＵＭＴＳシステムのようにセル選択およびセル再選択の手順を用意した移動通信システムでは、近隣リストに含まれないセルへ移動局が移動する場合、移動局はセル再選択で適切セルを検出できないために、セル選択を実行することになる。一般には限定的セル選択を実行し、それでも適切セルを検出できなかった場合には初期セル選択を実行する。このような近隣リストに含まれないセルが多くなればなるほど、移動局は頻繁にセル選択を実行し、その間のサービス中断および消費電力の増大という問題が生じる。以下、図面を用いて説明する。
【００１２】
図１３（Ａ）はセル再選択およびセル選択手順の一例を説明するための模式的なセル構成図、図１３（Ｂ）はネットワーク側で保持されているセル毎の近隣リストを示す図、図１３（Ｃ）はネットワーク側から提供され移動局に保持されるセル毎の近隣リストを示す図である。なお、図１３（Ｂ）の近隣リストはたとえばネットワークの管理サーバなどで保持されている。また、上述したように、近隣リストは、典型的には、近隣セルのキャリア周波数その他システムパラメータを含むが、図１３（Ｂ）、（Ｃ）における近隣リストにおいては、煩雑さを避けるために、各近隣セルのセルＩＤのみを記載し、それぞれ含まれるシステムパラメータ等の図示は割愛している。
【００１３】
この例では、セルＣ１−１、Ｃ１−２およびＣ１−３が比較的広いカバレッジエリア（無線エリア）を有するマクロセルであり、セルＣ２−１が比較的狭い無線エリアを有するマイクロセルであるとする。マイクロセルＣ２−１は、例えば建物内の無線エリアなどであり、ここではマクロセルＣ１−２内にあるビルディング内に設けられているものとする。
【００１４】
このようなセル構成において、移動局がセルＣ１−１からセルＣ１−２へ移動し、更にマイクロセルＣ２−１内に入ってからセルＣ１−２に戻ったとする。まず、移動局がセルＣ１−１内に位置するとき、セルＣ１−１は図１３（Ｂ）に示すセルＣ１−１の隣接セル｛Ｃ１−２、Ｃ１−３｝に関する情報（近隣リスト）を移動局へ提供する。したがって、移動局は、セルＣ１−１から離れる時、この近隣リストにある隣接セルＣ１−２およびＣ１−３の無線品質を観測するだけで、移動先のセルＣ１−２にキャンプ接続することができる。すなわち、移動局は、近隣リストを参照することで、セル選択（キャリア逐次探索）を行うことなく、セル再選択によりセルＣ１−２にキャンプ接続することができる。
【００１５】
移動局がセルＣ１−２にキャンプ接続すると、セルＣ１−２はその近隣リストを移動局へ提供する。ここで、マイクロセルＣ２−１でカバーされるエリアがビルディングや家屋のような屋内エリアであるとすると、図１３（Ｂ）に示すように、セルＣ１−２の近隣リスト｛Ｃ１−１｝にマイクロセルＣ２−１の情報が含まれない場合があり得る。セルＣ１−２の近隣リストでマイクロセルＣ２−１の情報が提供されない場合、移動局は、セルＣ１−２からマイクロセルＣ２−１へ移動する際、マイクロセルＣ２−１にキャンプ接続するためにキャリア逐次探索のセル選択手順を実行する必要がある。
【００１６】
移動局はセル選択手順によりマイクロセルＣ２−１にキャンプ接続するが、図１３（Ｂ）に示すように、マイクロセルＣ２−１の隣接セルに関する情報は提供されない。したがって、移動局が現在接続しているセルＣ２−１の近隣リストは、図１３（Ｃ）に示すように、空｛｝である。このように近隣リストが空の状態で、移動局がマイクロセルＣ２−１からセルＣ１−２へ戻ると、移動局はセルＣ１−２にキャンプ接続するために再度セル選択を実行しなければならない。
【００１７】
このような屋内のマイクロセルと屋外のマクロセルとの間を行き来する移動局は、そのたびにセル再選択よりも長い時間がかかるセル選択を実行しなければならない。セル選択を実行中、移動局は、呼び出されることも呼設定要求を発信することもできず、サービスを受けられない状態になってしまう。
【００１８】
このようなセル選択の実行を回避するためには、主セルが全ての近隣セルの情報を移動局へ提供する必要がある。しかしながら、たとえば、隣接セル数が多過ぎるとか、近隣リスト情報を送信するためのバンド幅に制限がある等の理由で、このような全ての近隣セル情報の提供が常に可能であるとは限らない。
【００１９】
また、特許文献１に記載された方法を適用しようとすれば、近隣エリア内の全てのセル情報を含む共通の近隣リストを当該近隣エリアの各基地局が送信する必要がある。この方法では、隣接セル数の増大に伴ってネットワーク側の負荷が大きくなるという問題がある。また、近隣リストを送信するためのバンド幅の制限がある場合には、上述したように全ての近隣セルの情報提供が可能になるとは限らない。
【００２０】
本発明の目的は、移動局へのサービス中断の増大を回避できる移動局の移動管理方法および装置ならびにそれを用いた移動通信システムおよび移動局を提供することにある。
【課題を解決するための手段】
【００２１】
本発明によれば、移動局が近隣セル情報として含まれないセルに接続した場合、少なくとも当該セルと前のセルとを無条件であるいは条件付きで関連付ける。この関連付けにより得られた近隣セル情報を利用することで、近隣セル情報として含まれないセルへの接続動作の頻度を低減することができる。すなわち、この関連付け以後、移動局は当該関連付けられたセル間を移動する場合には近隣セル情報を使用することができるので、近隣セル情報として含まれないセルへの接続動作の実行が不要となる。
【００２２】
本発明の一実施例によれば、関連付けの実行条件を示す関連付け基準を設けることで、関連付け基準を満たすときに関連付けを実行するように制御することもできる。新たなセルが一時的に設定されたものであったり、実際には物理的に隣接していなかったりする場合もあるからである。たとえば、移動通信システムの管理手段によって各セルに関する関連づけ許可あるいは禁止を予め定めておき、新たなセルが関連付け禁止セルである場合、移動局は当該セルと前の主セルとの関連付けを行わないことも可能である。あるいは、近隣セル情報を使用しない探索の実行時間長が所定しきい値を越えた場合に、新たなセルと前の主セルとの関連付けを行わないように制御することもできる。
【００２３】
本発明の更に別の実施例によれば、近隣セル情報として含まれないセルに接続した場合、当該セルおよびその近隣セルと前のセルとを関連付けることもできる。隣接セルがグループ状に構成されたマイクロセル群となっている場合に、近隣セル情報として含まれないセルへの接続動作の実行回数を更に低減させることができる。
【００２４】
また、移動通信システムの管理手段は、移動局の関連付け近隣リストの使用／不使用を制御することも可能である。さらに、近隣リストには、新たなセルだけでなく当該セルより前のセルの近隣セル情報を蓄積することもできる。好ましくは、近隣リストと関連付け近隣リストとの間に使用優先順位が予め設定される。
【００２５】
本発明の他の実施形態によれば、関連付け近隣リストに含まれる関連セルを移動通信システムのハンドオーバ制御手段に報告し、関連セルを含む候補セルからハンドオーバのターゲットセルを決定することができる。移動局により得られた関連セルはセルの隣接関係を示すものであり、それをシステムのハンドオーバ制御に利用することで中断時間をさらに短縮することができ高速ハンドオーバを実現できる。
【００２６】
本発明による移動局は、接続した第１セルの近隣セルの情報を示す近隣リストを蓄積する第１メモリと、近隣セル情報として含まれない第２セルに接続した場合、少なくとも前記第２セルと前記第１セルとを関連付ける制御手段と、少なくとも前記第２セルと前記第１セルとの関連づけを示す関連付け近隣リストを蓄積する第２メモリと、前記近隣リストおよび／または前記関連付け近隣リストの近隣セル情報を使用してセルを探索するセル探索手段と、を有することを特徴とする。
【００２７】
本発明の別の観点によれば、移動局の移動管理方法は、主セルを変更するとき、移動局は新たな主セルから近隣リストを受け取り、セル選択を実行するとき、移動局は新たな主セルを前の主セルと関連付け、現在の主セルの品質劣化を検出するとき、移動局は近隣リストにおけるセルおよび全ての関連セルの品質を測定し、現在の主セルよりも良好なセルを検出すると、移動局はその検出されたより良好なセルを再選択することを特徴とする。
【００２８】
本発明の更に別の観点によれば、移動局が第２セルに接続する際、接続可能なセルが複数あれば、それらのうち近隣リストに含まれないものと第１セルをと関連付けて関連付け近隣リストに蓄積してもよい。
【発明の効果】
【００２９】
本発明によれば、近隣セル情報として含まれないセルに接続した場合、少なくとも当該セルと前のセルとを無条件であるいは条件付きで関連付けることで、全ての近隣セルの情報が提供されない場合であっても、移動局は適切セルを高速で選択することが可能となり、サービスの中断や消費電力の増大を回避できる。すなわち、関連付け近隣リストを利用することで、近隣セル情報として含まれないセルの探索（キャリア逐次探索）の実行回数を低減することができ、全体として適切セルの選択を高速化できる。
【発明を実施するための最良の形態】
【００３０】
１．実施形態
図１は本発明の一実施形態による移動通信システムの一例を示すネットワーク構成図である。ここでは、説明を簡略化するために、３つのセルＣ１〜Ｃ３が順次隣接しており、それぞれ基地局ＢＴＳ１〜ＢＴＳ３によって制御され、基地局ＢＴＳ１〜ＢＴＳ３はネットワーク側（ここではネットワーク１０の運用保守サーバなど）により制御されるものとする。なお、１つの基地局が複数のセルを制御してもよいが、ここでは１つのセルは１つの基地局により制御されるものとする。また、セルＣ１およびセルＣ２の隣接関係はネットワーク側から提供されるが、セルＣ３の隣接関係は提供されないものとする。このようなセル構成において、移動局２０がセルＣ１からセルＣ２へ移動し、更にセルＣ３へと移動する場合の移動局の移動管理について以下詳細に説明する。
【００３１】
１．１）セル再選択
移動局２０には、後述するように、ネットワーク側から提供される近隣リストＮＬ−ＮＷと、関連付け（アソシエーション）により生成される近隣リストＮＬ−Ａと、を格納するメモリが設けられている。近隣リストＮＬ−ＮＷは、キャンプ接続するセル毎にネットワーク側から提供される当該セルの隣接セルの情報を含む。近隣リストＮＬ−Ａは、後述する関連付けにより得られた隣接関係にあるセルの情報を含む。なお、近隣リストに含まれる情報はキャンプ接続するための情報であり、たとえばＢＣＣＨのスケジューリング情報などを含む。セルを変更する際、移動局２０は近隣リストＮＬ−ＮＷおよび／または近隣リストＮＬ−Ａを参照することで、セル選択を実行することなく、セル変更が可能となる。
【００３２】
まず、移動局２０がセルＣ１内に位置するとき、セルＣ１の基地局ＢＴＳ１はその近隣リスト｛Ｃ２｝を移動局２０へ提供し、移動局２０は近隣リストＮＬ−ＮＷに当該情報｛Ｃ２｝を保持する。以下、近隣リストの近隣セルをセルＩＤで表し、そのセルへのキャンプ接続のための情報（以下、セルの情報とも表現する）は｛｝で囲んだ｛Ｃ２｝のように表わすものとする。この時点で近隣リストＮＬ−Ａには前のセルＣ０（不図示）の情報｛Ｃ０｝と現在のセルＣ１とが関連付けられた隣接関係（Ｃ１：｛Ｃ０｝）が格納されているものとする。
【００３３】
このような近隣リストＮＬ−ＮＷおよびＮＬ−Ａを有する移動局２０がセルＣ１からセルＣ２へ近づくと、セルＣ１の無線品質が劣化し、所定のしきい値より劣化した状態が所定の再選択タイマの設定時間を超えると、移動局２０は近隣リストＮＬ−ＮＷおよび／または近隣リストＮＬ−Ａを参照してセル再選択手順を開始する。この場合、近隣リストＮＬ−ＮＷに蓄積されている近隣セル情報、すなわち現在の主セルＣ１の隣接セルであるセルＣ０およびＣ２のそれぞれの情報に従って、各セルの無線品質を観測するだけで移動先のセルＣ２にキャンプ接続することができる（ＳＴ０）。このように、セル再選択によりキャンプ接続すべき適切セルを検出できたので、セル選択は実行されない。したがって、このセル変更では近隣リストＮＬ−Ａは更新されない。
【００３４】
１．２）セル選択
こうして移動局がセルＣ２にキャンプ接続すると、セルＣ２の基地局ＢＴＳ２はその近隣リスト｛Ｃ１｝を移動局２０へ提供し、移動局２０は近隣リストＮＬ−ＮＷを更新して当該情報｛Ｃ１｝を保持する。近隣リストＮＬ−Ａは隣接関係（Ｃ１：｛Ｃ０｝）を保持したままである。続いて、移動局２０がセルＣ２からセルＣ３へ移動していくと、移動局２０は、上述したＳＴ０の場合と同様に近隣リストＮＬ−ＮＷおよび／または近隣リストＮＬ−Ａを参照するが、近隣リストＮＬ−Ａには現在のセルＣ２と関連付けられたセルが存在しないので、近隣リストＮＬ−ＮＷに蓄積されているセルＣ１の情報に従って、そのセルの無線品質を観測してキャンプ接続すべきセルを再選択しようとする（ＳＴ１）。しかしながら、この場合セルＣ１を検出することはできないので、移動局２０はキャリア逐次探索のセル選択手順を実行する（ＳＴ２）。これによって移動局２０はセルＣ３の下りブロードキャストチャネルを読み取ってセルＣ３にキャンプ接続する。
【００３５】
１．３）関連付け
セル選択によりセルＣ３にキャンプ接続したので、移動局２０はキャンプ接続したセルＣ３と前のセルＣ２の情報｛Ｃ２｝とを関連付け（Ｃ３：｛Ｃ２｝）、近隣リストＮＬ−Ａに格納する（ＳＴ３）。これにより近隣リストＮＬ−Ａには、セルＣ１に関する隣接関係Ｃ１：｛Ｃ０｝と、セルＣ３に関する隣接関係Ｃ３：｛Ｃ２｝とが蓄積される。セルＣ３の基地局ＢＴＳ３はネットワーク側の近隣リストを提供しないので、移動局２０の近隣リストＮＬ−ＮＷは空となる。
【００３６】
このように、基地局ＢＴＳ３から隣接関係が提供されないセルＣ３に対して、移動局２０はセル選択の実行を契機として、当該セルＣ３と前のセルＣ２との隣接関係を近隣リストＮＬ−Ａに保持する。言い換えれば、ネットワーク側が提供しない隣接関係を移動局２０が自律的に補完することができる。したがって、移動局２０が再びセルＣ２に戻る場合、移動局２０は近隣リストＮＬ−Ａにある隣接セルＣ２を再選択することで迅速にセルＣ２にキャンプ接続することができる。以後、移動局２０がセルＣ２に出入りしても、セルＣ２とＣ３との隣接関係が近隣リストＮＬ−Ａにエントリされている限り、常に再選択によりセルＣ３にキャンプ接続することができる。
【００３７】
なお、詳しくは他の実施形態で述べるが、セル選択手順の実行を契機とした前のセルと新たなセルとの関連付けは条件付きで行うこともできる。たとえば新たなセルが一時的に設定されたものであったり、実際には物理的に隣接していなかったりする場合もあるからである。
【００３８】
また、移動局２０が近隣リストＮＬ−Ａを用いた関連付け手順をネットワーク側が制御することも可能である。たとえば、移動局２０がセル選択手順によりセルＣ３にキャンプ接続した時、セルＣ３の基地局ＢＴＳ３がＢＣＣＨを通して近隣リストＮＬ−Ａの使用をオン／オフする制御信号を送信してもよい。
【００３９】
さらに、新たなセルと前のセルとが共に適切セルであってもよいし、少なくとも一方が許容可能セル(acceptable cell)であってもよい。許容可能セルとは、受信品質がセル選択基準を満たし限定的なサービスを受けるためにキャンプ接続可能なセルをいう。
【００４０】
また、上記説明では、関連付け近隣リストＮＬ−Ａに新たな関連付けを格納する際に、セル選択により新たに選択してキャンプ接続するセルの情報と前のセルの情報とを関連付けて記憶したが、関連付けるセルの情報は新たにキャンプ接続したセルだけに限定されるものではない。セル選択した際に一定の無線品質を有しているなどの基準を満たすセルが複数検出された場合には、それらの中で近隣リストＮＬ−ＮＷに含まれていないセルの情報と前のセルの情報との関連付けを関連付け近隣リストＮＬ−Ａに記憶するようにしてもよい。このようにすることにより、セル選択が実行される回数を抑制できるケースがある。
【００４１】
２．システム構成
図２は本発明の一実施例による移動通信システムの基地局を示す概略的ブロック図である。ここでは、本発明に関連する主要部分の構成のみを図示し、また一例として基地局ＢＴＳがネットワーク１０上の管理サーバあるいは運用保守（Ｏ＆Ｍ）サーバとユーザプレーン処理装置（ＵＰＥ：User Plane Entity）とに接続されているものとする。
【００４２】
基地局ＢＴＳには近隣リスト１０１が設けられ、Ｏ＆Ｍサーバから提供された当該基地局ＢＴＳのセルに隣接するセルの情報が格納される。近隣リスト１０１は、基地局ＢＴＳのＯ＆Ｍサーバにより構成される。移動制御部１０２は、近隣リスト１０１の配信、例えば配信頻度などを管理する。ブロードキャストチャネル（ＢＣＨ）制御部１０３は、近隣リストを他のブロードキャスト情報と共にブロードキャストチャネルに多重化する。ユーザデータパケットはＵＰＥからデータポート１０４に到着し、データチャネル制御部１０５を通して送受信部１０６へ出力される。送受信部１０６は、ブロードキャストチャネルおよびデータチャネルを、例えば異なる符号あるいは周波数資源を用いて多重し送信する。なお、近隣リスト１０１の基地局から移動局への配信は、ブロードキャストチャネルではなく個別チャネルで行うこともできる。
【００４３】
図３は本発明の一実施例による移動通信システムの移動局を示す概略的ブロック図である。ここでは、本発明に関連する主要部分の構成のみを図示している。移動局の送受信部２０１は、例えば変調、復調などの無線関連機能を有し、基地局ＢＴＳからのブロードキャストチャネルの読み取りや基地局ＢＴＳとの間で制御信号やデータ信号の送受信を行う。また、ブロードキャストチャネルとその他のチャネルとの分離を行い、ブロードキャスト情報をＢＣＨデコーダ２０２へ、データチャネルをデータチャネル制御部２０７へそれぞれ出力する。
【００４４】
ＢＣＨデコーダ２０２は、主セルの基地局ＢＴＳから受信した近隣リスト情報とその他ブロードキャスト情報とを分離し、近隣リスト情報を移動制御部２０３へ、その他ブロードキャスト情報を上位レイヤへ出力する。
【００４５】
移動制御部２０３は、ネットワーク側から受信した近隣リストＮＬ−ＮＷを格納する内部メモリ２０４と、関連付けにより生成した近隣リストＮＬ−Ａを格納する内部メモリ２０５とを管理し、これら内部メモリ２０４および／または２０５から読み出された近隣セルの情報をセル探索部２０６へ提供する。セル探索部２０６は、提供された近隣セルの情報を用いてセル再選択手順を実行することができる。さらに、移動制御部２０３は、上述したように、セル選択手順の実行を契機として前のセルと新たなセルとの関連づけを実行し、その結果、関連付けられた情報からなる近隣リストＮＬ−Ａを内部メモリ２０５に格納する。
【００４６】
セル探索部２０６は、セル選択あるいはセル再選択の実行に必要な無線関連手順を実行する。例えば、セル探索部２０６は送受信部２０１により受信された主セルおよび隣接セルセルからの信号に基づいて主セルおよび隣接セルの無線品質をモニタし、その結果をセル選択／セル再選択の実行に利用する。無線品質は、パイロットチャネルの信号強度、ブロードキャストチャネルのエラーレートおよび／または信号対雑音比（ＳＮＲ）などを測定することにより得られる。ユーザデータパケットは上位レイヤからデータポート２０８に到着し、データチャネル制御部２０７を通して送受信部２０１から送信される。
【００４７】
なお、移動制御部２０３およびセル探索部２０６により実行される後述する移動管理機能は、プログラム制御プロセッサあるいはコンピュータ上でプログラムを実行することで実現することもできる。
【００４８】
３．移動管理
図４は本発明の一実施例による移動局の移動管理手順を示すフローチャートである。まず、移動局が位置している主セルの基地局ＢＴＳから近隣リストＮＬ−ＮＷを受け取ると、移動制御部２０３はそれを内部メモリ２０４に格納しておく。
【００４９】
移動局のセル探索部２０６は現在の主セルの無線品質をチェックし、近隣セル測定の起動条件を満たしているか否かを判断する（ＳＴ３０１）。具体的には、現在の主セルの無線品質が所定しきい値より劣化し、その劣化状態が再選択タイマのタイムアップまで継続したか否かを判断する。
【００５０】
近隣セル測定の起動条件を満たしていれば（ＳＴ３０１のＹＥＳ）、移動制御部２０３は、内部メモリ２０４に格納された近隣リストＮＬ−ＮＷに含まれるセルの情報を読み出しセル探索部２０６へ提供する。これによってセル探索部２０６は、ネットワーク１０から提供された近隣セルの無線品質を測定する（ＳＴ３０２）。
【００５１】
さらに、移動制御部２０３は、内部メモリ２０５に格納された近隣リストＮＬ−Ａのうち、現在の主セルと関連付けられた近隣セルがあれば、その情報を読み出しセル探索部２０６へ提供する。これによってセル探索部２０６は、関連づけにより得られた近隣セルの無線品質を測定する（ＳＴ３０３）。関連付けによる近隣リストＮＬ−Ａは、後述するようにセル毎に近隣セル情報を含むので、近隣リストＮＬ−Ａを参照する際、移動制御部２０３は現在の主セルの近隣セルの無線品質を測定するだけでよい。
【００５２】
なお、移動制御部２０３は、主セルの基地局を通してネットワーク側から近隣リストＮＬ−Ａを使用しない旨の制御信号を受信した場合には、ステップＳＴ３０３をスキップするように制御することも可能である。
【００５３】
こうしてセル探索部２０６は近隣に適切セルが検出されたか否かを判定し（ＳＴ３０４）、適切セルが検出されなかったならば（ＳＴ３０４のＮＯ）、セル選択手順を実行する（ＳＴ３０５）。適切なセルが検出されると（ＳＴ３０４のＹＥＳ）、そのセルを主セルとしてキャンプ接続する（ＳＴ３１１）。
【００５４】
なお、セル探索部２０６は、近隣リストＮＬ−ＮＷに含まれる近隣セルの無線品質を測定した結果（ＳＴ３０２）、適切セルを検出した場合には、関連付け近隣リストＮＬ−Ａを用いた測定ステップＳＴ３０３を実行せずに、検出された適切セルを主セルとしてキャンプ接続（ＳＴ３１１）してもよい。また、近隣リストＮＬ−ＮＷを用いた測定ステップＳＴ３０２で適切セルを検出できなかった場合には、続いて関連付け近隣リストＮＬ−Ａを用いた測定ステップＳＴ３０３を実行するようにしてもよい。他の実施例で後述するが、近隣リストＮＬ−ＮＷと関連付け近隣リストＮＬ−Ａとの間に参照順に関して優先順位を設定することもできる。
【００５５】
セル選択手順が完了すると、新たな主セルへのキャンプ接続のための手順（例えばシステム情報の読み取りなど）を実行し、新たな主セルから近隣リストと関連付け許可フラグとを読み取る（ＳＴ３０６）。ただし、近隣リストを提供されない場合もある。
【００５６】
移動制御部２０３は、セル選択（ＳＴ３０５）が開始されるとタイマを起動させ、所定経過時間Ｔmax内にセル選択手順が完了したか否かを判断する（ＳＴ３０７）。セル選択手順が所定経過時間Ｔmax内に完了し（ＳＴ３０７のＹＥＳ）、新たな主セルの関連付け許可フラグが「許可」になっていれば（ＳＹ３０８のＹＥＳ）、移動制御部２０３は新たな主セルと前の主セルとを関連付け（ＳＴ３０９）、関連付けにより更新された近隣リストＮＬ−Ａを内部メモリ２０５に格納する（ＳＴ３１０）。
【００５７】
セル選択手順が所定経過時間Ｔmax内に完了しなかった場合（ＳＴ３０７のＮＯ）あるいは新たな主セルの関連付け許可フラグが「禁止」になっていれば（ＳＹ３０８のＮＯ）、移動制御部２０３は、関連づけを実行せずに、検出されたセルを主セルとしてキャンプ接続する（ＳＴ３１１）。
【００５８】
なお、この実施例では、関連付けの実行条件（関連付け基準）として関連付け許可フラグとセル選択手順の実行時間とを用い、これらの条件を満たしたときに関連付け近隣リストを更新するように制御されるが、このような関連付けの実行条件の両方あるいは一方を設けないこともできる。関連付けの実行条件を設けない場合には、新たな主セルから近隣リストを読み取ると（ＳＴ３０６）、移動制御部２０３は新たな主セルと前の主セルとを関連付け（ＳＴ３０９）、関連付けにより更新された近隣リストＮＬ−Ａを内部メモリ２０５に格納する（ＳＴ３１０）。また、関連付けの実行条件として関連付け許可フラグを使用しない場合には、関連付け許可フラグの判定ステップＳＴ３０８を削除でき、関連付けの実行条件としてセル選択手順の実行時間を使用しない場合には、セル選択手順の実行時間の判定ステップＳＴ３０７を削除できる。
【００５９】
４．実施例１
図５は本発明による移動通信システムの一例を示すネットワーク構成図である。この例では、インターネット４０１と無線ネットワーク４０３とがゲートウェイ（ＧＷ）４０２を通して通信可能であり、複数の基地局ＢＴＳと移動局ＵＥとで無線ネットワーク４０３が構成され、複数の基地局ＢＴＳはそれらの運用保守を行うＯ＆Ｍサーバ４０４に接続されている。
【００６０】
ゲートウェイ４０２は、各基地局ＢＴＳとインターネット４０１の通信エンティティとが通信するためのネットワークノードである。インターネット４０１の通信エンティティから無線ネットワーク４０３の移動局へ送信されるデータパケットは、最初、ゲートウェイ４０２へ配信され、そこから基地局を介して宛先の移動局へ配信される。Ｏ＆Ｍサーバ４０４は各基地局の運用保守を行うネットワークサーバであり、各基地局の近隣リストを構成する。
【００６１】
セルＣ１−１、Ｃ１−２およびＣ１−３は、それぞれ基地局ＢＴＳ１−１、ＢＴＳ１−２およびＢＴＳ１−３により制御され、マイクロセルＣ２−１は基地局ＢＴＳ２−１により制御される。基地局ＢＴＳ１−１〜ＢＴＳ１−３およびＢＴＳ２−１を含む複数の基地局は、無線ネットワーク４０３を介して相互に接続され、またゲートウェイ４０２およびＯ＆Ｍサーバ４０４に接続されている。ここでは、セルＣ１−１、Ｃ１−２およびＣ１−３が比較的広いカバレッジエリア（無線エリア）を有するマクロセルであり、セルＣ２−１が比較的狭い無線エリアを有するマイクロセルであるとする。マイクロセルＣ２−１は、例えば建物内の無線エリアなどであり、ここではマクロセルＣ１−２内にあるビルディング内に設けられているものとする。
【００６２】
このようなネットワーク構成において、本発明の第１実施例による移動管理方法の具体的な動作例を説明する。
【００６３】
４．１）動作例１
図６（Ａ）は本発明の第１実施例による移動管理方法の第１動作例を説明するための模式的なセル構成図、図６（Ｂ）はＯ＆Ｍサーバにより保持されているセル毎の近隣リストの一例を示す図、図６（Ｃ）は移動局に保持されるセル毎の近隣リストＮＬ−ＮＷおよびＮＬ−Ａの一例を示す図である。
【００６４】
図６（Ａ）において、移動局ＵＥが、点線５０１に示すように、セルＣ１−１からセルＣ１−２へ移動し、更にマイクロセルＣ２−１内に入ってからセルＣ１−２に戻ったとする。まず、移動局ＵＥがセルＣ１−１内に位置するとき、セルＣ１−１の基地局ＢＴＳ１−１は、図６（Ｂ）に示すセルＣ１−１の隣接セルＣ１−２およびＣ１−３に関する近隣リスト情報｛Ｃ１−２、Ｃ１−３｝を移動局ＵＥへ提供し、移動局ＵＥの移動制御部２０３はそれを近隣リストＮＬ−ＮＷとして内部メモリ２０４に格納する。したがって、移動局ＵＥは、セルＣ１−１からセルＣ１−２へ移動することで近隣セル測定手順が起動すると、この近隣リストＮＬ−ＮＷにある隣接セルＣ１−２およびＣ１−３の無線品質を観測するだけで、移動先のセルＣ１−２にキャンプ接続することができる（セル再選択）。
【００６５】
セル再選択により移動局ＵＥがセルＣ１−２にキャンプ接続すると、セルＣ１−２の基地局ＢＴＳ１−２は図６（Ｂ）に示す近隣リスト情報｛Ｃ１−１｝を移動局ＵＥへ提供し、移動局ＵＥの移動制御部２０３はそれを用いて近隣リストＮＬ−ＮＷを更新し内部メモリ２０４に格納する。
【００６６】
続いて、移動局ＵＥがセルＣ１−２からセルＣ２−１へ移動していくと、移動局ＵＥは同様に近隣リストＮＬ−ＮＷおよび／または近隣リストＮＬ−Ａを参照するが、この時点では近隣リストＮＬ−Ａに現在のセルＣ１−２と関連付けられたセルが存在しないので、近隣リストＮＬ−ＮＷにあるセルＣ１−１の無線品質を観測してキャンプ接続すべきセルを再選択しようとする。しかしながら、この場合セルＣ１−１を検出することはできないので、移動局は全周波数探索のセル選択手順を実行する。これによって移動局ＵＥはセルＣ２−１の下りブロードキャストチャネルを読み取ってセルＣ２−１にキャンプ接続する。
【００６７】
セル選択によりセルＣ２−１にキャンプ接続したので、移動局ＵＥはキャンプ接続したセルＣ２−１と前のセルＣ１−２とを関連付け、その関連付け情報を近隣リストＮＬ−Ａとしてメモリ２０５に格納する。これにより、図６（Ｃ）に示すように、近隣リストＮＬ−ＡのセルＣ２−１と関連してセルＣ１−２の情報｛Ｃ１−２｝が、セルＣ２−１と関連してセルＣ１−２の情報｛Ｃ１−２｝がそれぞれエントリされる。
【００６８】
このような近隣リストＮＬ−Ａを有する移動局ＵＥがセルＣ２−１の無線エリアから出てセルＣ１−２に戻ると、セル選択手順を実行することなくセルＣ１−２を再選択することができる。なぜならば、移動局ＵＥはセルＣ２−１へのセル選択を実行した後、当該新たなセルＣ２−１を前のセルＣ１−２と関連付けたからである。したがってセルＣ２−１の無線品質の劣化を検出すると、移動局ＵＥは近隣リストＮＬ−ＮＷおよび近隣リストＮＬ−Ａを参照し、この例では近隣リストＮＬ−Ａに含まれる、セルＣ２−１に関連付けられたセルＣ１−２の無線品質を測定する。したがって、キャリア逐次探索によるセル選択手順を実行することなく、移動局ＵＥはセルＣ１−２を再選択することができる。
【００６９】
４．２）動作例２
図７（Ａ）は本発明の第１実施例による移動管理方法の第２動作例を説明するための模式的なセル構成図、図７（Ｂ）はＯ＆Ｍサーバにより保持されているセル毎の近隣リストの一例を示す図、図７（Ｃ）は移動局に保持されるセル毎の近隣リストＮＬ−ＮＷおよびＮＬ−Ａの一例を示す図である。
【００７０】
図７（Ａ）に示すように、移動局ＵＥがセルＣ２−１への出入りを２回以上繰り返した場合にも、本実施例によれば、セル選択手順を実行することなく移動局ＵＥはセルＣ１−２およびＣ２−１を再選択することができる。このシナリオは、従業員が日に何度もオフィスビルに出入りすることを考えれば、現実の生活の中で想定しうるものである。
【００７１】
上記動作例１で述べたように、移動局ＵＥが最初にセルＣ２−１に入ると、セルＣ１−２はセルＣ２−１のセル情報を提供しないので、移動局ＵＥはセル選択を実行してセルＣ２−１にキャンプ接続する。移動局ＵＥはキャンプ接続したセルＣ２−１と前のセルＣ１−２とを関連付け、その関連付け情報を近隣リストＮＬ−Ａとしてメモリ２０５に格納する。これにより、図７（Ｃ）に示すように、近隣リストＮＬ−ＡのセルＣ２−１と関連してセルＣ１−２の情報｛Ｃ１−２｝が、セルＣ２−１と関連してセルＣ１−２の情報｛Ｃ１−２｝がそれぞれエントリされる。このような近隣リストＮＬ−Ａを有する移動局ＵＥがセルＣ２−１のエリアからセルＣ１−２へ移動すると、移動局ＵＥは近隣リストＮＬ−Ａを用いてセルＣ１−２を再選択することができる。
【００７２】
さらに、点線５０２に示すように、移動局ＵＥがセルＣ２−１のエリアに再度移動してきた場合にも、移動局ＵＥは前のセルＣ１−２と新たなセルＣ２−１との間の関連情報がエントリされた近隣リストＮＬ−Ａを用いることで、セル選択手順を実行することなく、セルＣ２−１を再選択することができる。
【００７３】
４．３）動作例３
図８（Ａ）は本発明の第１実施例による移動管理方法の第３動作例を説明するための模式的なセル構成図、図８（Ｂ）はＯ＆Ｍサーバにより保持されているセル毎の近隣リストおよび関連付け許可フラグの一例を示す図、図８（Ｃ）は移動局に保持されるセル毎の近隣リストＮＬ−ＮＷおよびＮＬ−Ａの一例を示す図である。
【００７４】
本動作例によれば、ネットワーク側から移動局に対して関連付けの許可／禁止を制御することができ、ネットワーク側が関連付けを禁止した新たなセルに移動局がキャンプ接続する場合には、移動局は前のセルと当該新たなセルとの関連付けを行わない。すなわち、関連付け実行条件（関連付け基準）の設定に関連付け許可／禁止フラグを用いる。
【００７５】
図８（Ａ）において、セルＣ１−１、Ｃ１−２およびＣ１−３の無線エリアは固定されているのに対して、セルＣ２−１の基地局ＢＴＳ２−１は移動可能装置上に設定され、その無線エリアが移動し得るものとする。このような可動セルＣ２−１の実例としては、列車やバス内のホットスポットが想定されうる。ここでは、移動局ＵＥが点線５０３に示すようにセルＣ１−１内を移動して可動セルＣ２−１にキャンプ接続し、可動セルＣ２−１にキャンプ接続したままセルＣ１−１からセルＣ１−２へ移動するものとする。
【００７６】
セルＣ２−１が移動する場合、他のセルと隣接している期間は限定される。したがって、セルＣ２−１を制御するＯ＆Ｍサーバは、各固定セルの近隣リストに可動セルＣ２−１を含めない。また、各セルにおいて、関連付け許可／禁止を示すフラグを近隣リストと共に移動局ＵＥへ送信することで、移動局ＵＥに対してセルＣ２−１をセル選択した後、当該セルＣ２−１を他のセルと関連付けないように指示することができる。
【００７７】
まず、移動局ＵＥが最初にセルＣ２−１に入ると、セルＣ１−２は近隣セルとして可動セルＣ２−１の情報を提供しないので、移動局ＵＥはセル選択を実行し可動セルＣ２−１にキャンプ接続する。その際、可動セルＣ２−１の基地局ＢＴＳ２−１は移動局ＵＥに対して関連付け禁止を示すフラグを送信する。この関連づけの禁止によって、可動セルＣ２−１内の移動局ＵＥは、可動セルＣ２−１から固定セルへ移動しても、当該固定セルと可動セルＣ２−１とを関連付けない。
【００７８】
たとえば、移動局ＵＥが可動セルＣ２−１に接続したまま移動してセルＣ１−２の領域に入り、そこで可動セルＣ２−１からセルＣ１−２へ出た場合、移動局ＵＥはセル選択によりセルＣ１−２にキャンプ接続する。この場合、セルＣ１−２の近隣リスト｛Ｃ１−１｝および関連付け許可を示すフラグが送信されるが、前のセルが関連付け禁止の可動セルＣ２−１であるために、移動局ＵＥは関連付けによる近隣リストＮＬ−Ａの更新を行わない。したがって、移動局ＵＥがセルＣ１−２からセルＣ１−１へ移動して戻る場合には、ネットワーク側から提供された近隣リストＮＬ−ＮＷを用いてセルＣ１−１を再選択することができる。
【００７９】
このように、移動局ＵＥが固定セル内に位置する間は可動セルＣ２−１の探索を回避でき、逆に移動局ＵＥが可動セルＣ２−１内に位置する間は固定セルの探索を回避することができる。こうしてセル再選択により適切セルを発見できなかったときのセル選択開始を回避できる。
【００８０】
４．４）動作例４
図９（Ａ）は本発明の第１実施例による移動管理方法の第４動作例を説明するための模式的なセル構成図、図９（Ｂ）はＯ＆Ｍサーバにより保持されているセル毎の近隣リストおよび関連付け許可フラグの一例を示す図、図９（Ｃ）は移動局に保持されるセル毎の近隣リストＮＬ−ＮＷおよびＮＬ−Ａの一例を示す図である。
【００８１】
本動作例によれば、移動局がセル選択を開始して所定時間以上継続した場合には、物理的な隣接関係にないと判断し、前のセルと新たなセルとの関連づけを禁止する。すなわち、関連付け実行条件（関連付け基準）の設定にセル選択の実行時間を用いる。
【００８２】
図９（Ａ）に示すように、隣接していないセルＣ１−３とＣ２−１との間を連通する長いトンネル６０１が存在し、トンネル６０１内では無線エリアが存在しないものとする。具体的には山岳部あるいは都市の歩行地下道における長いトンネルが想定されうる。そのトンネル６０１を移動局が移動する場合、セル選択の実行期間に基づいて隣接セルの関連付けが禁止される。
【００８３】
たとえば、点線５０４に示すように、移動局ＵＥがセルＣ１−３側からセルＣ２−１へ向けてトンネル６０１に入ると、移動局ＵＥは最初セルＣ１−３が提供した近隣リスト情報｛Ｃ１−１｝に基づいてセル再選択手順を実行しようとする（ＳＴ６０２）。しかしながら、トンネルエリア内には無線エリアが存在しないので、移動局ＵＥは近隣リストにある隣接セルＣ１−１を検出することができず、所定の再選択タイマがタイムアップした時点でセル選択手順を開始する（ＳＴ６０３）。そして、移動局ＵＥはトンネル６０１内を移動する間、セル選択のためのキャリア逐次探索を継続する。トンネル６０１は、通過に例えば数分を要する程長い場合もありうる。
【００８４】
セル選択手順を開始して期間Ｔが経過したときにトンネルを出たとすると、そこで移動局ＵＥはセルＣ２−１を検出する（ＳＴ６０４）。セル選択により新たなセルＣ２−１を発見したので、通常ならば、移動局ＵＥは前の主セル（セルＣ１−３）と新たな主セル（セルＣ２−１）とを関連付けようとする。しかしながら、セル選択継続期間Ｔが所定しきい値Ｔmaxを超えている場合には、前の主セルと新たな主セルとの間には隣接関係がないと判断し、新たなセルＣ２−１の関連付け許可フラグが「許可」であっても、移動局ＵＥはセルＣ１−３とセルＣ２−１との関連付けを行わない。したがって、移動局ＵＥがセルＣ１−３に位置するときには、セルＣ２−１は隣接セルではないので再選択手順の対象とはならず、またセルＣ２−１に位置するときにはセルＣ１−３は隣接セルではないので再選択手順の対象とはならない。こうしてセル再選択により適切セルを発見できなかったときのセル選択開始を回避できる。
【００８５】
別の関連付け実行条件（関連付け基準）として、移動局ＵＥの移動速度Ｖを考慮することもできる。たとえば、移動局ＵＥの移動速度Ｖ×セル選択継続期間Ｔにより前のセルＣ１−３と新たなセルＣ２−１との間の距離を推定し、この距離が所定しきい値を超えている場合には、前の主セルと新たな主セルとの間には隣接関係がないと判断することもできる。
【００８６】
５．実施例２
図５に示すネットワーク構成において、本発明の第２実施例による移動管理方法の具体的な動作例を説明する。本実施例によれば、新たな主セルおよびその隣接セルを前の主セルと関連付ける。たとえば、複数の屋内基地局がビルディングエリアをカバーしているようなオフィスビルにおいて、隣接セルがグループ状に構成されたマイクロセル群が存在する場合に本実施例が適用される。
【００８７】
図１０（Ａ）は本発明の第２実施例による移動管理方法の動作例を説明するための模式的なセル構成図、図１０（Ｂ）はＯ＆Ｍサーバにより保持されているセル毎の近隣リストの一例を示す図、図１０（Ｃ）は移動局に保持されるセル毎の近隣リストＮＬ−ＮＷおよびＮＬ−Ａの一例を示す図である。
【００８８】
図１０（Ａ）に示すように、ここではマクロセルＣ１−２の無線エリアに配置された２つの隣接するマイクロセルＣ２−１およびＣ２−２があるものとする。この場合、移動局ＵＥがセルＣ１−２からセルＣ２−１に入ると、上述したようにセル選択を実行するが、その際、新たな主セルＣ２−１およびその隣接セルＣ２−２と前の主セルＣ１−２とを関連付けて近隣リストＮＬ−Ａに格納する。すなわち、図１０（Ｃ）のセルＣ１−２に対して、近隣リストＮＬ−Ａに隣接セル情報｛Ｃ２−１，Ｃ２−２｝がエントリされるとともに、セルＣ２−１およびＣ２−２の各々に対して隣接セル情報｛Ｃ１−２｝がエントリされる。
【００８９】
このような近隣リストＮＬ−Ａの状態で、移動局ＵＥがマイクロセルＣ２−１からＣ２−２のエリアにはいる場合、近隣リストＮＬ−ＮＷに隣接セル情報｛Ｃ２−２｝があるので移動局ＵＥはセル再選択を実行する。そして、移動局ＵＥがセルＣ２−２から出てマクロセルＣ１−２に戻るときには、近隣リストＮＬ−ＡにセルＣ２−２に関連付けられた隣接セル情報｛Ｃ１−２｝が存在するので、移動局ＵＥは、セル選択を実行することなく、マクロセルＣ１−２を再選択することができる。
【００９０】
新たな主セルの隣接セルを前の主セルに関連付けることは、新たな主セルの隣接セルが前の主セルに物理的に隣接していない場合には効率的でない。図１０では、２つの隣接するマイクロセルＣ２−１、Ｃ２−２が、それらを包含する無線エリアを有するマクロセルＣ１−２内に位置する場合を示している。したがって、セルＣ２−１およびＣ２−２が共にマクロセルであれば、セルＣ２−２およびＣ１−２の間に重複する無線エリアは存在しないので、セルＣ２−２とセルＣ１−２とを関連づけないことが望ましい。これは、セルＣ２−１がその隣接セルの各エリアについての情報を提供することにより達成できる。言い換えれば、移動局は、セルＣ２−１およびＣ２−２の両方がマイクロセル型であることを知っている場合のみ、セルＣ１−２およびＣ２−２を関連付けることができる。このことは、Ｏ＆Ｍサーバが近隣リスト情報の一部として近隣セルのセルタイプ情報を提供することにより実現できる。
【００９１】
６．その他の実施例
上述した実施例では、移動局は、主セルを変更するたびに、主セルにより提供される近隣リストを読み取る必要がある。しかしながら、移動局は、前の主セルにより提供された情報をクリアする代わりに、前の主セルの近隣リストを保持することもできる。前の主セルの近隣リストを保持することで、移動局は、新たな主セルが前の主セルの１つに属している場合、新たな主セルから近隣リストを読み取る前に隣接セルの測定を開始することが可能となる。本発明によれば、移動局が前の主セルにより提供された近隣リストを格納したとしても効果がある。なぜならば、移動局は、ネットワーク側から提供された近隣リストを格納するだけでなく、関連付けによる近隣リストを格納することも可能だからである。
【００９２】
また上述した実施例において、移動局は、ネットワーク側から提供された近隣リストの隣接セルの品質と、関連付けにより提供された現在の主セルの隣接セルの品質とを測定する必要がある。しかしながら、ネットワーク側から提供された近隣リストの隣接セルの品質測定を、関連付けにより提供されたそれの測定よりも優先させてもよい。この優先順位付けにより、適切なセルを発見する時間を短縮することができ、したがって、移動局はより速く、より適切なセルにキャンプ接続することができる。
【００９３】
さらに、上述した実施例において、移動局は、関連付けにより提供された近隣リストＮＬ−Ａを内部メモリ２０５に格納する。格納を完了すると、移動局は、関連付けセル情報が永久に格納されることを回避するために、各関連付けセル情報の保存期間を定義することも可能である。関連付けセル情報の除去は、電源を切った時あるいはネットワークが全ての格納した関連付け情報の除去を指令したとき（例えばセル再構成時）に実行されうる。
【００９４】
７．他の実施形態
上記実施形態では移動局がアイドル状態の場合を説明したが、移動局がアクティブ状態であっても本発明を適用することができる。
【００９５】
図１１は本発明の他の実施形態による移動通信システムの動作例を説明するためのネットワーク構成図である。基本的なシステム構成は図１と同様であるから同じ参照番号および符号を付している。ここでも、セルＣ１およびセルＣ２の隣接関係はネットワーク側から提供されるが、セルＣ３の隣接関係は提供されないものとする。このようなセル構成において、データ通信中の移動局２０がセルＣ１からセルＣ２へ移動し、更にセルＣ３へと移動する場合のハンドオーバ制御について説明する。
【００９６】
移動局２０には、既に述べたように、ネットワーク側から提供される近隣リストＮＬ−ＮＷと、関連づけにより生成される近隣リストＮＬ−Ａと、を格納するメモリが設けられている。移動局２０がセルＣ１内に位置するとき、セルＣ１の基地局ＢＴＳ１はその近隣リスト｛Ｃ２｝を移動局２０へ提供し、移動局２０は近隣リストＮＬ−ＮＷに当該情報｛Ｃ２｝を保持する。また、近隣リストＮＬ−Ａには前のセルＣ０（不図示）の情報｛Ｃ０｝と現在のセルＣ１とが関連付けられた隣接関係（Ｃ１：｛Ｃ０｝）が格納されているものとする。
【００９７】
セルＣ１内に位置して主ＢＴＳ１を通してデータ通信を行う移動局２０は、近隣リストＮＬ−Ａに格納されている関連付けられた近隣セル（以下、関連セルという。）を主ＢＴＳ１あるいは現在の主無線ネットワーク制御局（serving ＲＮＣ））へレポートする（ＳＴ７０１）。関連セル（ここではセルＣ０）のレポートは、定期的に実行されてもよいし、主ＢＴＳ１あるいは主ＲＮＣの要求に応じてオン・デマンド実行されてもよい。また、ネットワーク側で関連セルレポートを停止するように制御することもできる。これらの制御は個別チャネルあるいはブロードキャストチャネルを通して実行可能である。
【００９８】
続いて、移動局２０がセルＣ１からセルＣ２へハンドオーバする場合（ＳＴ７０２）、主ＢＴＳ１あるいは主ＲＮＣは、移動局２０がレポートした関連セルとデフォルトの候補セルとを合わせてハンドオーバ候補セルを生成し、このハンドオーバ候補セルの中からハンドオーバ先のターゲットセルを決定する。この例では、関連セルがセルＣ０であり、デフォルト候補セルが隣接セルＣ２であるから、主ＢＴＳ１あるいは主ＲＮＣはターゲットセルをセルＣ２に決定し、移動局２０へ通知する。こうして移動局２０はデータ通信状態でセルＣ１からセルＣ２へのハンドオーバを完了することができる。
【００９９】
次に、セルＣ２内に位置して主ＢＴＳ２を通してデータ通信を行う移動局２０は、近隣リストＮＬ−Ａに格納されている関連セル（ここではセルＣ０）を主ＢＴＳ２あるいは現在の主ＲＮＣへレポートする（ＳＴ７０３）。上述したように、関連セルのレポートは、定期的にあるいはオン・デマンドで実行されてもよいし、ネットワーク側で関連セルレポートを停止するように制御することもできる。
【０１００】
続いて、移動局２０がセルＣ２からセルＣ３へハンドオーバする場合（ＳＴ７０４）、主ＢＴＳ２あるいは現在の主ＲＮＣは、移動局２０がレポートした関連セルとデフォルトの候補セルとを合わせてハンドオーバ候補セルを生成し、このハンドオーバ候補セルの中からハンドオーバ先のターゲットセルを決定する。この例では、関連セルがセルＣ０であり、デフォルト候補セルが隣接セルＣ１であるから、移動局２０は、アイドル状態の場合と基本的に同様のセル選択手順を用いてターゲットとすべきセルを検出し、それを主ＢＴＳ２あるいは現在の主ＲＮＣへレポートする。こうして移動局２０はデータ通信状態でセルＣ２からセルＣ３へのハンドオーバを完了することができる。
【０１０１】
こうしてセルＣ３内に位置して主ＢＴＳ３を通してデータ通信を行う移動局２０は、セル選択によりセルＣ３に接続したので、移動局２０は接続したセルＣ３と前のセルＣ２の情報｛Ｃ２｝とを関連付け（Ｃ３：｛Ｃ２｝）、近隣リストＮＬ−Ａに格納する。これにより近隣リストＮＬ−Ａには、セルＣ１に関する隣接関係Ｃ１：｛Ｃ０｝と、セルＣ３に関する隣接関係Ｃ３：｛Ｃ２｝とが蓄積される。セルＣ３の主ＢＴＳ３はネットワーク側の近隣リストを提供しないので、移動局２０の近隣リストＮＬ−ＮＷは空となる。
【０１０２】
したがって、移動局２０は、近隣リストＮＬ−Ａに格納されている関連セル、少なくとも現在位置するセルＣ３の関連セルＣ２、を主ＢＴＳ３あるいは現在の主ＲＮＣへレポートする（ＳＴ７０５）。上述したように、関連セルのレポートは、定期的にあるいはオン・デマンドで実行されてもよいし、ネットワーク側で関連セルレポートを停止するように制御することもできる。
【０１０３】
移動局２０が再びセルＣ２に戻る場合、主ＢＴＳ３あるいは現在の主ＲＮＣは、セルＣ３の関連セル（ここではセルＣ２）を既に知っているので、高速でターゲットセルを決定し移動局２０へ通知することができる。こうして移動局２０はデータ通信状態でセルＣ２とセルＣ３との間で高速ハンドオーバを実行することができる。
【０１０４】
図１２は、図１１に示す移動管理方法を適用したハンドオーバ手順の一例を示すシーケンス図である。あるセル内に位置して主ＢＴＳ３０を通してデータ通信を行う移動局２０は、ネットワーク側で関連セルレポートを停止していない限り、近隣リストＮＬ−Ａに格納されている関連セルを主ＢＴＳ３０（あるいは現在の主ＲＮＣ）へ定期的にあるいはオン・デマンドでレポートする（ＳＴ８０１）。
【０１０５】
移動局２０がハンドオーバ要求を主ＢＴＳ３０へ送信すると（ＳＴ８０２）、主ＢＴＳ３０は、移動局２０がレポートした最新の関連セルとデフォルトの候補セルとを合わせてハンドオーバ候補セルを生成し（ＳＴ８０３）、このハンドオーバ候補セルの中からハンドオーバ先のターゲットセルを決定する（ＳＴ８０４）。ターゲットセルが決定されると、主ＢＴＳはターゲットセルの情報を移動局２０へ通知し（ＳＴ８０５）、移動局２０、主ＢＳＴ３０およびターゲットＢＴＳ３１の間でハンドオーバ制御が実行される。
【０１０６】
このように、ハンドオーバ制御の主体となる局は、デフォルト候補セルに含まれていない近隣セルが存在する場合でも、移動局２０がリポートした関連セルを参照してハンドオーバ先のターゲットセルを高速決定することができる。
【０１０７】
なお、本発明は１つの無線方式のシステムに限定されるものではなく、複数の無線方式が混在する移動通信システムであっても適用可能である。たとえば、図１において、セルＣ１は３Ｇ（第３世代）移動システムのセルであり、セルＣ２はＬＴＥ(Long Term Evolution)システムのセルであってもよい。この場合、移動局２０は３ＧおよびＬＴＥの両方で動作するマルチモード端末であるが、３ＧのセルＣ１からＬＴＥのセルＣ２へ移動する場合、セル選択を実行し、それによって前のセルＣ１と後のセルＣ２とを関連付けて近隣リストＮＬ−Ａに保持することができる。
【０１０８】
また、上記では、移動局は、適切セル(suitable cell)にのみキャンプ接続するとして説明したが、さらに許容セル(acceptable cell)にもキャンプ接続することがある場合においても、本発明は適用可能である。この場合において、セル選択により関連付け近隣リストＮＬ−Ａを更新する際に、新たにキャンプ接続したセルと直前にキャンプ接続していたセルとを関連付けるやり方を、
・  新たにキャンプ接続したセルと直前にキャンプ接続していたセルとが共に適切セルの場合のみ関連付けをする、
・  新たにキャンプ接続したセルと直前にキャンプ接続していたセルとがそれぞれ適切セルであるか許容セルであるかに関わらず関連付けをする、
・  新たにキャンプ接続したセルと直前にキャンプ接続していたセルとが共に適切セルである場合、または共に許容セルである場合にのみ関連付けをする、
のいずれかのやり方とすることなども可能である。
【０１０９】
また、上記実施例では、関連付け近隣リストＮＬ−Ａに新たな関連付けを格納する際、セル選択によりキャンプ接続するセルの情報と前のセルの情報とを関連付けて記憶したが、これに限定されるものではない。たとえば、セル選択した際に一定の無線品質を有しているなどの基準を満たすセルが検出され、それが近隣リストＮＬ−ＮＷに含まれていないならば、そのセルの情報を前のセルの情報と関連付けて関連付け近隣リストＮＬ−Ａに記憶しても良い。このようにすることにより、セル選択が実行される回数を抑制できるケースがある。
【産業上の利用可能性】
【０１１０】
本発明は複数の基地局により制御される複数のセルを設けた移動通信システム一般に適用可能であり、特にその移動局あるいはユーザ端末に適用できる。
【図面の簡単な説明】
【０１１１】
【図１】本発明の一実施形態による移動通信システムの動作例を説明するためのネットワーク構成図である。
【図２】本発明の一実施例による移動通信システムの基地局を示す概略的ブロック図である。
【図３】本発明の一実施例による移動通信システムの移動局を示す概略的ブロック図である。
【図４】本発明の一実施例による移動局の移動管理手順を示すフローチャートである。
【図５】本発明による移動通信システムの一例を示すネットワーク構成図である。
【図６】（Ａ）は本発明の第１実施例による移動管理方法の第１動作例を説明するための模式的なセル構成図、（Ｂ）はネットワークにより保持されているセル毎の近隣リストの一例を示す図、（Ｃ）は移動局に保持されるセル毎の近隣リストＮＬ−ＮＷおよびＮＬ−Ａの一例を示す図である。
【図７】（Ａ）は本発明の第１実施例による移動管理方法の第２動作例を説明するための模式的なセル構成図、（Ｂ）はネットワークにより保持されているセル毎の近隣リストの一例を示す図、（Ｃ）は移動局に保持されるセル毎の近隣リストＮＬ−ＮＷおよびＮＬ−Ａの一例を示す図である。
【図８】（Ａ）は本発明の第１実施例による移動管理方法の第３動作例を説明するための模式的なセル構成図、（Ｂ）はネットワークにより保持されているセル毎の近隣リストおよび関連付け許可フラグの一例を示す図、（Ｃ）は移動局に保持されるセル毎の近隣リストＮＬ−ＮＷおよびＮＬ−Ａの一例を示す図である。
【図９】（Ａ）は本発明の第１実施例による移動管理方法の第４動作例を説明するための模式的なセル構成図、（Ｂ）はネットワークにより保持されているセル毎の近隣リストおよび関連付け許可フラグの一例を示す図、（Ｃ）は移動局に保持されるセル毎の近隣リストＮＬ−ＮＷおよびＮＬ−Ａの一例を示す図である。
【図１０】（Ａ）は本発明の第２実施例による移動管理方法の動作例を説明するための模式的なセル構成図、（Ｂ）はネットワークにより保持されているセル毎の近隣リストの一例を示す図、（Ｃ）は移動局に保持されるセル毎の近隣リストＮＬ−ＮＷおよびＮＬ−Ａの一例を示す図である。
【図１１】本発明の他の実施形態による移動通信システムの動作例を説明するためのネットワーク構成図である。
【図１２】本発明の他の実施形態による移動局の移動管理方法の一動作例を示すシーケンス図である。
【図１３】（Ａ）はセル再選択およびセル選択手順の一例を説明するための模式的なセル構成図、（Ｂ）はネットワークにより保持されているセル毎の近隣リストを示す図、（Ｃ）はネットワークから提供され移動局に保持されるセル毎の近隣リストを示す図である。
【符号の説明】
【０１１２】
１０  ネットワーク
２０  移動局
Ｃ１、Ｃ２、Ｃ３  セル
ＢＴＳ１、ＢＴＳ２、ＢＴＳ３  基地局
ＮＬ−ＮＷ  ネットワークによる近隣リスト
ＮＬ−Ａ    関連づけによる近隣リスト
１０１  近隣リスト
１０２  移動制御部
１０３  ＢＣＨ制御部
１０４  データポート
１０５  データチャネル制御部
１０６  送受信部
２０１  送受信部
２０２  ＢＣＨデコーダ
２０３  移動制御部
２０４  内部メモリ
２０５  内部メモリ
２０６  セル探索部
２０７  データチャネル制御部
２０８  データポート
５０１−５０４  移動局の移動経路
６０１  トンネル
【図１】
2008118404.tif 000003
【図２】
2008118404.tif 000004
【図３】
2008118404.tif 000005
【図４】
2008118404.tif 000006
【図５】
2008118404.tif 000007
【図６】
2008118404.tif 000008
【図７】
2008118404.tif 000009
【図８】
2008118404.tif 000010
【図９】
2008118404.tif 000011
【図１０】
2008118404.tif 000012
【図１１】
2008118404.tif 000013
【図１２】
2008118404.tif 000014
【図１３】
2008118404.tif 000015